(57)【要約】【課題】  コストをアップさせることなく紙幣挿入口を明るくして視認性を向上させるようにした紙幣識別装置を提供する。【解決手段】  紙幣挿入口を構成するように離間して対向配置された上部ガイドと下部ガイド１２とを有する紙幣挿入部において、下部ガイド１２を透明部材によって形成し、その背面に設けられたＬＥＤにより下部ガイド１２を照射するようにした。下部ガイド１２の裏面には、入射壁１６から接客面側先端の出射壁に至る範囲にわたって三角リブカット１９が形成され、その三角リブカット１９の表面全体にシボ加工２１を施している。これにより、既存のプリント板に設けられたＬＥＤの光は、下部ガイド１２の全面にわたって効率よく拡散され、出射壁を均一な明るさで発光させることが可能となり、紙幣挿入口の位置を商品購入者に認識し易くすることができる。【選択図】  図５
2007034577.tif 000002
【特許請求の範囲】
【請求項１】
紙幣挿入部を上部ガイドと下部ガイドとによって形成された紙幣識別装置において、
前記下部ガイドを透明部材により形成し、その裏面側から発光ダイオードによる照射光を入射して正面側の先端部まで透過させるようにしたことを特徴とする紙幣識別装置。
【請求項２】
前記発光ダイオードは、前記下部ガイドの裏面側に配置された制御用のプリント板に直接搭載されていることを特徴とする請求項１記載の紙幣識別装置。
【請求項３】
前記下部ガイドは、前記発光ダイオードの照射光の光軸に対して直角な面を有する入射壁を有していることを特徴とする請求項１記載の紙幣識別装置。
【請求項４】
前記下部ガイドは、前記照射光が入射される部分から正面側の前記先端部に至る前記上部ガイドと反対側の面に前記照射光を全面に拡散させる三角リブカットまたはダイヤモンドカットが形成されていることを特徴とする請求項１記載の紙幣識別装置。
【請求項５】
前記三角リブカットは、その表面がシボ加工されていることを特徴とする請求項４記載の紙幣識別装置。
【発明の詳細な説明】
【技術分野】
【０００１】
本発明は紙幣識別装置に関し、特に自動販売機などに設けられて投入された紙幣を識別する紙幣識別装置に関する。
【背景技術】
【０００２】
自動販売機においては、その前面扉に、硬貨を投入する硬貨挿入口、紙幣を投入する紙幣挿入口、投入された硬貨や紙幣を返却するための返却レバー、釣銭や返却される硬貨を取り出す硬貨返却口などが設けられている。硬貨挿入口および紙幣挿入口は、前面扉の裏側にそれぞれ硬貨識別装置および紙幣識別装置が取り付けられている。
【０００３】
自動販売機が設置されている場所または利用時間帯によっては、暗くて硬貨挿入口および紙幣挿入口の位置が商品購入者にとってわかりにくい場合があった。このため、硬貨挿入口を照らして硬貨挿入口を利用者が容易に視認することができるようにしたものが知られている（たとえば、特許文献１参照。）。紙幣挿入口についても同様に、紙幣挿入口に光を照射することが従来より行われている。
【０００４】
図６は紙幣挿入口への光照射例を示す従来の紙幣識別装置を示す斜視図、図７は紙幣挿入口への別の光照射例を示す従来の紙幣識別装置を示す斜視図である。
図６に示す紙幣識別装置は、紙幣を挿入するための紙幣挿入口を構成するように上下に対向配置された不透明部材からなる上部ガイド１０１と下部ガイド１０２とを有しており、上部ガイド１０１の上側（背面側）には、照明用の発光ダイオード（以下ＬＥＤという）１０３を搭載したプリント板１０４が配置されている。そのプリント板１０４には、コネクタ１０５が搭載され、ケーブル１０６を介して紙幣識別装置の内部に設けられた図示しないプリント板と接続されている。
【０００５】
上部ガイド１０１には、ＬＥＤ１０３の光軸上に穿設された貫通孔１０７が設けられていて、上部ガイド１０１に対向する下部ガイド１０２の面に向けて光の通路１０８を形成するようにし、これによって、下部ガイド１０２の面にスポット光１０９を光らせるようにしている。
【０００６】
したがって、自動販売機の設置環境が暗い場合でも、下部ガイド１０２の面にスポット光１０９が当たることにより、紙幣挿入口を商品購入者に容易に視認させることができるようになる。
【０００７】
また、図７に示す紙幣識別装置では、上部ガイド１０１と下部ガイド１０２とで構成される紙幣挿入口の奥に配置されたプリント板１１０にＬＥＤ１０３が搭載されている。このＬＥＤ１０３から放射された光は、上部ガイド１０１にて反射され、その反射光が紙幣挿入口の下部ガイド１０２に届くようにしてある。このように、紙幣挿入口の中に光の通路１０８を形成し、上部ガイド１０１にて反射された反射光を下部ガイド１０２に当てて下部ガイド１０２の面をスポット光１０９で光らせるようにしたことで、紙幣挿入口の位置を商品購入者に認識し易いようにしていた。
【特許文献１】特開２００４−１５７７９１号公報
【発明の開示】
【発明が解決しようとする課題】
【０００８】
従来の紙幣識別装置では、紙幣挿入口の下部ガイドにスポット光が一部分光るだけで、紙幣挿入口の位置の視認性について良好とは言い難く、また、上部ガイドに設けたＬＥＤで下部ガイドを直接照らす構成では、反射光による場合よりもスポット光を明るくすることができるが、ＬＥＤを配置するために既存のプリント板とは別に、新規のプリント板およびケーブルが必要となり、コストアップとなってしまうという問題があり、紙幣挿入口の奥に設けたＬＥＤで下部ガイドを間接的に照らす構成では、直接照らす構成に比べてコストが安く済む反面、一旦光を上部ガイドに反射させているため、スポット光が暗いという問題点があった。
【０００９】
本発明はこのような点に鑑みてなされたものであり、コストをアップさせることなく紙幣挿入口を明るくして視認性を向上させるようにした紙幣識別装置を提供することを目的とする。
【課題を解決するための手段】
【００１０】
本発明では上記問題を解決するために、紙幣挿入部を上部ガイドと下部ガイドとによって形成された紙幣識別装置において、前記下部ガイドを透明部材により形成し、その裏面側から発光ダイオードによる照射光を入射して正面側の先端部まで透過させるようにしたことを特徴とする紙幣識別装置が提供される。
【００１１】
このような紙幣識別装置によれば、透明部材からなる下部ガイドの全体を発光ダイオードにより光らせ、挿入口の位置を商品購入者に認識し易くすることができる。
【発明の効果】
【００１２】
本発明の紙幣識別装置は、透明部材からなる下部ガイドの全体を発光ダイオードにより光らせ、表面に光が透過する構造としているため、紙幣挿入口の視認性を向上させることができるという利点がある。また、発光ダイオードは従来品を用い、既存のプリント板に搭載しているので、コストアップすることもない。
【発明を実施するための最良の形態】
【００１３】
以下、本発明の実施の形態を、自動販売機に適用した場合を例に図面を参照して詳細に説明する。
図１は紙幣識別装置の斜視図を示す図である。
【００１４】
紙幣識別装置１は、自動販売機の前面扉にその裏側から取り付けられる。その際、正面扉の接客面には、紙幣を挿入する紙幣挿入口２が設けられた紙幣挿入部３が露出される。紙幣挿入部３の奥には、紙幣挿入口２に挿入された紙幣を取り込んで、その紙幣の金種および真贋を判断する図示しない紙幣識別部を備え、その紙幣識別部に隣接して紙幣収納庫４が着脱自在に設けられている。紙幣収納庫４は、紙幣識別部で識別された紙幣を収納するもので、回収時には、取り外して収納された紙幣を紙幣収納庫４ごと回収できるようになっている。
【００１５】
図２は紙幣挿入部を側面から示す断面図、図３は図２のＡ部拡大図である。
紙幣挿入部３は、図２に示したように、紙幣を挿入するための紙幣挿入口２を構成するように上下に離間して対向配置された上部ガイド１１と下部ガイド１２とを有している。上部ガイド１１は、不透明部材によって形成され、下部ガイド１２は、透明部材によって形成されている。下部ガイド１２の背面には、紙幣識別装置１を制御する既存のプリント板１３が配置され、そのプリント板１３にはＬＥＤ１４が搭載されている。
【００１６】
透明部材の下部ガイド１２は、図３に詳細に示されるように、裏面側にＬＥＤ１４の照射光１５が入光し易いようＬＥＤ１４の光軸に対して直角をなす入射壁１６が形成され、さらに入射壁１６より入射された照射光１５を紙幣挿入部３の正面側に案内する反射壁１７と、内部を通ってきた照射光１５が紙幣挿入部３の正面側に出射する先端の出射壁１８とを有している。
【００１７】
以上の構成により、プリント板１３に設けたＬＥＤ１４より照射された照射光１５は、入射壁１６から下部ガイド１２に入射する。入射した照射光１５は、下部ガイド１２の中において、まず反射壁１７で反射し、その後、下部ガイド１２の表面にて反射を繰り返しながら下部ガイド１２の内部を進んでいき、下部ガイド１２の出射壁１８に届く。照射光１５が出射壁１８より出射することにより、紙幣挿入部３の表面から出ている下部ガイド１２の出射壁１８は、その幅方向の全体が明るくなり、紙幣挿入口２の視認性を向上させることができる。
【００１８】
図４は紙幣挿入部を背面から示す斜視図、図５は図４のＢ部拡大図である。
下部ガイド１２は、また、上部ガイド１１と反対側の面、すなわちプリント板１３が設置されている側の面が加工されて、内部を進む照射光１５が外部に漏れにくいようにすることと、下部ガイド１２の内部構造が商品購入者に透けて見えることを防止するようにしている。このために、下部ガイド１２の上部ガイド１１と反対側の面において、入射壁１６から先端の出射壁１８に至る範囲にわたって三角リブカット１９が形成されている。これにより、ＬＥＤ１４によって２箇所の入射壁１６より入射された照射光１５は、下部ガイド１２の内部を反射しながら進む際に三角リブカット１９によって乱反射することにより下部ガイド１２の全体に広がり、拡散光２０となって先端の出射壁１８へ進むようになる。このため、先端の出射壁１８には乱反射した拡散光２０が到達することになるので、出射壁１８は、その幅方向全体にわたって均一な明るさになる。
【００１９】
さらに、三角リブカット１９の表面全体には、梨地やサンドブラストなどの半透明加工であるシボ加工２１が施されている。これにより、ＬＥＤ１４の光は、下部ガイド１２の全面にわたって効率よく拡散され、先端の出射壁１８の全面をむらのない均一な明るさで発光させることが可能となり、紙幣挿入口２の位置を商品購入者に認識し易くしている。なお、下部ガイド１２は、照射光１５を拡散させるために三角リブカット１９を形成したが、これに代えてダイヤモンドカットを形成しても同様の効果を得ることができる。
【図面の簡単な説明】
【００２０】
【図１】紙幣識別装置の斜視図を示す図である。
【図２】紙幣挿入部を側面から示す断面図である。
【図３】図２のＡ部拡大図である。
【図４】紙幣挿入部を背面から示す斜視図である。
【図５】図４のＢ部拡大図である。
【図６】紙幣挿入口への光照射例を示す従来の紙幣識別装置を示す斜視図である。
【図７】紙幣挿入口への別の光照射例を示す従来の紙幣識別装置を示す斜視図である。
【符号の説明】
【００２１】
１  紙幣識別装置
２  紙幣挿入口
３  紙幣挿入部
４  紙幣収納庫
１１  上部ガイド
１２  下部ガイド
１３  プリント板
１４  ＬＥＤ
１５  照射光
１６  入射壁
１７  反射壁
１８  出射壁
１９  三角リブカット
２０  拡散光
２１  シボ加工
【図１】
2007034577.tif 000003
【図２】
2007034577.tif 000004
【図３】
2007034577.tif 000005
【図４】
2007034577.tif 000006
【図５】
2007034577.tif 000007
【図６】
2007034577.tif 000008
【図７】
2007034577.tif 000009